(57)【要約】【課題】階間止水板で止水された水を、階下の外壁面を汚すことなくうまく排出することができる、外壁の階間部止水構造を提供する。【解決手段】階上階下の外壁部１，２がそれぞれ、外壁面材４の背面部に発泡樹脂断熱材５を備えると共に、外壁面材４と発泡樹脂断熱材５との間に空気を上下方向に通す通気部６を備えたものからなり、外壁の階間部を止水する階間止水板３が、階上階下の外壁部１，２の通気部６，６を連通させ、かつ、止水した水を階下の外壁部２の通気部６を通じて下方に排出するように備えられている。また、階下の外壁部２の縦目地７の上端部が、階間止水板３から連続する塞ぎ部１２で塞がれている。【選択図】      図１
2005180060.tif 000002
【特許請求の範囲】
【請求項１】
階上階下の外壁部がそれぞれ、外壁面材の背面部に発泡樹脂断熱材を備えると共に、外壁面材と発泡樹脂断熱材との間に空気を上下方向に通す通気部を備えたものからなり、
外壁の階間部を止水する階間止水板が、階上階下の外壁部の通気部を連通させ、かつ、止水した水を階下の外壁部の通気部を通じて下方に排出するように備えられていることを特徴とする、通気部を有する外壁の階間部止水構造。
【請求項２】
階下の外壁部の縦目地の上端部が、階間止水板から連続する塞ぎ部で塞がれている請求項１に記載の通気部を有する外壁の階間部止水構造。
【発明の詳細な説明】
【技術分野】
【０００１】
本発明は、外壁の階間部止水構造に関する。
【背景技術】
【０００２】
例えば、住宅等の建物の外壁の一階と二階の間の階間部の止水構造として、同外壁階間部に、金属板、金属と樹脂の複合板、樹脂板等からなる止水板が設置され、該止水板が、止水した水を階下の外壁面側に誘導して排出するようになされたものがある。
【発明の開示】
【発明が解決しようとする課題】
【０００３】
しかしながら、止水板で止水された水を階下の外壁面に垂れ流して排出する構造では、排出される水の影響で、階下の外壁面が汚されてしまう場合があるという問題がある。
【０００４】
本発明は、上記のような問題点に鑑み、階間止水板で止水された水を、階下の外壁面を汚すことなくうまく排出することができる、外壁の階間部止水構造を提供することを課題とする。
【課題を解決するための手段】
【０００５】
上記の課題は、階上階下の外壁部がそれぞれ、外壁面材の背面部に発泡樹脂断熱材を備えると共に、外壁面材と発泡樹脂断熱材との間に空気を上下方向に通す通気部を備えたものからなり、
外壁の階間部を止水する階間止水板が、階上階下の外壁部の通気部を連通させ、かつ、止水した水を階下の外壁部の通気部を通じて下方に排出するように備えられていることを特徴とする、通気部を有する外壁の階間部止水構造によって解決される。
【０００６】
この構造では、階下の外壁部が、外壁面材の背面部に発泡樹脂断熱材を備え、外壁面材と、止水性を備えた発泡樹脂断熱材との間に空気を上下方向に通す通気部を備えたものからなっていることを利用して、階間止水板が、止水した水を階下の外壁部の通気部を通じて下方に排出するように備えられているので、階間止水板で止水された水を、階下の外壁面を汚すことなくうまく下方へ排出することができる。
【０００７】
しかも、階間止水板は、階上階下の外壁部の通気部を連通させるように備えられているので、通気が階間で止水板によって遮断されてしまうこともなく、外壁の断熱性能を損なわせることがない。なお、階間止水板で止水された水の排出で通気が妨げられることがないのはいうまでもない。
【０００８】
上記の止水構造において、階下の外壁部の縦目地の上端部が、階間止水板から連続する塞ぎ部で塞がれている場合は、止水板で止水された水が階下の外壁部の縦目地内に入り込んでしまうのが防がれ、縦目地部分を通じた屋内側への水の浸入も防ぐことができる。
【発明の効果】
【０００９】
本発明の外壁の階間部止水構造は、以上のとおりのものであるから、階間止水板で止水された水を、階下の外壁面を汚すことなくうまく排出することができ、しかも、外壁面材の背面側に発泡樹脂断熱材と通気層とを備えさせた断熱外壁構造において、通気が階間止水板で遮断されず、外壁の断熱性能を損なわせることがない。また、止水板で止水された水が階下の外壁部の縦目地内に入り込まず、縦目地を通じた屋内側への水の浸入も防ぐことができる。
【発明を実施するための最良の形態】
【００１０】
次に、本発明の実施最良形態を図面に基づいて説明する。
【００１１】
図１〜図４に示す実施形態の外壁階間部止水構造において、１は階上の外壁部、２は階下の外壁部、３は階間止水板である。
【００１２】
図１〜図３に示すように、階上階下の外壁部１，２はそれぞれ、窯業系等の外壁面材４の背面部に発泡樹脂断熱材５を備えると共に、外壁面材４と発泡樹脂断熱材５との間に空気を上下方向に通す通気部６を備えたものからなっていて、通気部６は、発泡樹脂断熱材５の正面側に備えられた凹凸によって形成されている。上記の外壁部１，２はそれぞれ、外壁パネルで構成されており、左右に隣り合う外壁パネル間に縦目地７が備えられている。なお、通気部は、外壁面材４の背面側に備えられた凹凸によって形成されたものであってもよい。８は鋼製のパネルフレーム、９は鋼製の胴差である。
【００１３】
そして、階間止水板３は、金属板、金属と樹脂の複合板、樹脂板等からなり、図１及び図２に示すように、その上端部は、階上外壁部１の発泡樹脂断熱材５の背面側に突出するようにして備えられている。また、下階外壁部の発泡樹脂断熱材５は、通気部６よりも屋内側の部分５ａが上方に立ち上げられ、階間止水板３の下端部は、通気部６の上端開口部を屋外側に位置させるようにして、この立ち上がり部分５ａの正面側に沿うように備えられている。
【００１４】
このような構造により、階上階下の外壁部１，２の通気部６，６は、止水板３に妨げられることなく互いに連通し、外壁の階間部は階間止水板３によって止水され、階間止水板３で止水された水は階下外壁部２の通気部６を通じて下方に排出されるようになされている。なお、１０は、階間の仕上げ材としての階間外壁面材であり、階上階下の外壁部１，２に備えられた通気部６，６は、階間外壁面材１０と階間止水板３との間の空間部１１を通じて連通されている。
【００１５】
また、図１及び図３に示すように、階下外壁部２の縦目地７の上端部は、階間止水板３から連続する塞ぎ部１２で塞がれており、止水板３で止水された水が、階下外壁部２の縦目地７内に入り込んでしまうのが防がれるようになされている。なお、塞ぎ部１２と、階下外壁部２の縦目地部分の外壁面材の上端部部分との間には、止水用のシーリング材１６を介設しておくようにするのもよい。
【００１６】
塞ぎ部１２は、図４（イ）に示すように、階間止水板３と一体の突板部３ａで構成されていてもよいし、図４（ロ）に示すように、階間止水板３に塞ぎ板１３をジョイントしたものであってもよい。また、図４（ハ）に示すように、階間止水板３の下端部３ｂが階下外壁部２の外壁面材４の上面部に設置されるようにして、該下端部３ｂを塞ぎ部１２として階下外壁部２の縦目地７の上端部を塞ぎ、階上階下の外壁部１，２の通気部６，６は、この階間止水板３の下端部分に設けた開口部１４…を通じて連通されるようにするのもよい。
【００１７】
なお、図３に示すように、左右の外壁面材間には目地シーリング材１５が設置されており、本実施形態の塞ぎ部１２は、止水板３で止水された水がこの目地シーリング材１５の背後へと浸入するのを防ぐ役割を果たす。
【００１８】
上記の階間止水構造では、階間止水板３で止水された水は、図１及び図２に示すように、階下外壁部２の通気部６を通じて下方にうまく排出されていき、そのため、階下の外壁面がこの水の排出によって汚されることがない。もちろん、発泡樹脂断熱材５の有する止水性によって、通気部６を通じて下方に排出されていく水が屋内側に入り込んでいくこともない。
【００１９】
しかも、階間止水板３は、上記のように、階上階下の外壁部１，２の通気部６，６を連通させるように備えられているので、通気が階間で止水板３によって遮断されてしまうこともなく、外壁部１，２の断熱性能を損なわせることもない。
【００２０】
また、階下外壁部２の縦目地７の上端部に止水板３と連続する塞ぎ部１２が設置されているので、階間止水板３で止水された水が階下外壁部２の縦目地７内に入り込んでしまうのが防がれ、縦目地７部分を通じた屋内側への水の浸入も防ぐことができる。また、この塞ぎ部１２は、階下外壁部２の縦目地において、目地シーリング材１５の背後を階下から水が吹き上げてきたような場合に、そのような吹上げ水を堰き止めて屋内側への水の浸入を阻止する機能も併せもたされている。
【図面の簡単な説明】
【００２１】
【図１】実施形態の外壁階間止水構造を示す断面斜視図である。
【図２】図１のＩ−Ｉ線断面矢視図である。
【図３】図１のＩＩ−ＩＩ線断面矢視図である。
【図４】図（イ）〜図（ハ）はそれぞれ、異なる形態の塞ぎ部が備えられた階間止水材の断面斜視図である。
【符号の説明】
【００２２】
１…階上外壁部
２…階下外壁部
３…階間止水板
４…外壁面材
５…発泡樹脂断熱材
６…通気部
７…縦目地
１２…塞ぎ部
【図１】
2005180060.tif 000003
【図２】
2005180060.tif 000004
【図３】
2005180060.tif 000005
【図４】
2005180060.tif 000006